(57)【要約】【課題】音波信号をコンテンツ実行の際の同期信号として用いたコンテンツ同期システムなどを提供すること。【解決手段】本発明のコンテンツ同期システムは、ユーザ端末（２）と、ユーザ端末にコンテンツを配信可能なサーバ装置（３）と、音波信号からなる同期信号をユーザ端末（２）に送信可能な同期装置（４）と、を有し、前記同期装置（４）のスピーカ（８）から発信された前記同期信号（Ｓ）が前記ユーザ端末（２）で受信されたときに、前記コンテンツが実行されることを特徴とする。【選択図】図２
2015073182.tif 000002
【特許請求の範囲】
【請求項１】
ユーザ端末に配信されたコンテンツを実行させる際の同期信号として音波信号を用いたことを特徴とするコンテンツ同期システム。
【請求項２】
前記同期信号としてのＮ個（Ｎは１以上）のパルスを前記ユーザ端末に送信することを特徴とする請求項１に記載のコンテンツ同期システム。
【請求項３】
前記同期信号を受信した前記ユーザ端末では、前記パルスを前記パルスの時間幅よりも短い時間幅にて細分化してゲインの時間変化を評価することを特徴とする請求項２に記載のコンテンツ同期システム。
【請求項４】
前記同期信号の後に、前記コンテンツの実行制御に関する任意長のデータ信号が送信可能とされることを特徴とする請求項２または３に記載のコンテンツ同期システム。
【請求項５】
前記同期信号には、メイン信号とバックアップ信号とがあり、前記バックアップ信号は前記メイン信号と異なる周波数帯で送信時間をずらしたものであり、前記ユーザ端末にて、前記メイン信号を受け取れず前記バックアップ信号を受信した場合、前記メイン信号との時間差分を補正して同期を行うことを特徴とする請求項１ないし４のいずれか１項に記載のコンテンツ同期システム。
【請求項６】
前記同期信号の送信を事前に通知するための通知信号を送信することを特徴とする請求項１ないし４のいずれか１項に記載のコンテンツ同期システム。
【請求項７】
前記通知信号は無線信号であることを特徴とする請求項６に記載のコンテンツ同期システム。
【請求項８】
前記ユーザ端末と、前記音波信号からなる前記同期信号を前記ユーザ端末に送信可能な同期装置と、を有し、前記同期装置のスピーカから発信された前記同期信号が前記ユーザ端末で受信されたときに、前記コンテンツが実行されることを特徴とする請求項１ないし７のいずれか１項に記載のコンテンツ同期システム。
【請求項９】
前記ユーザ端末と、前記音波信号からなる前記同期信号が記録された記録媒体と、を有し、前記同期信号が前記記録媒体から送信されて前記同期信号が前記ユーザ端末で受信されたときに、前記コンテンツが実行されることを特徴とする請求項１ないし７のいずれか１項に記載のコンテンツ同期システム。
【請求項１０】
座席情報を特定して、前記座席情報に基づく前記コンテンツを実行することを特徴とする請求項１ないし９のいずれか１項に記載のコンテンツ同期システム。
【請求項１１】
前記同期信号は、可聴範囲を超えた超音波信号であることを特徴とする請求項１ないし１０のいずれか１項に記載のコンテンツ同期システム。
【請求項１２】
請求項１ないし１１のいずれか１項に用いられたコンテンツ同期システムを用いて、イベント内にて前記コンテンツを実行することを特徴とするイベント演出システム。
【請求項１３】
ユーザ端末に配信されたコンテンツを実行させる際の同期信号として音波信号を前記ユーザ端末に送信することを特徴とする同期装置。
【請求項１４】
ユーザ端末に配信されたコンテンツを実行させるための音波信号からなる同期信号が記録されていることを特徴とする記録媒体。
【発明の詳細な説明】
【技術分野】
【０００１】
本発明は、ユーザ端末に配信されたコンテンツの実行タイミングを同期させるためのコンテンツ同期システム、イベント演出システム、同期装置、ならびに記録媒体に関する。
【背景技術】
【０００２】
コンサート会場などで曲に合わせて例えば観客がペンライトを振る演出を行うことで観客間に一体感が生まれ、これによりコンサートを盛り上げることができる。
【０００３】
また今日では、ケミカルライト（サイリューム（登録商標）など）やリストバンド（ザイロバンド（登録商標））などもコンサート会場などで使用される。
【０００４】
しかしながら、これらの商品は、一回きりの使用や、色の変化などに乏しい問題があった。また曲に合わせて観客間で発色タイミングを合わせようとしても、タイミングがずれる問題もあった。
【先行技術文献】
【特許文献】
【０００５】
【特許文献１】特開２０１３―４３２３７号公報
【発明の概要】
【発明が解決しようとする課題】
【０００６】
特許文献１には、イベント演出用システムに関する発明が記載されており、ペンライトを無線通信で同期させて光らせる技術が開示されている。
【０００７】
しかしながら、イベントがネットワークに接続できない環境下にあっては、特許文献１の技術を用いることができない。また広いコンサート会場などに集まった何万人、何十万人といった多数の観客のペンライトを同じタイミングで光らせるためには、全てのペンライトに適切に無線通信で同期させることが必要になるが、無線通信では障害に弱く、効率よく多数の観客に向けて同期信号を送信することは難しく、ペンライトの同期が座席によって遅れたり、あるいは同期信号を受信できずペンライトが光らない座席エリアが生じやすい問題があった。
【０００８】
また座席に応じて異なる色で光らせるなどの多種多様なイベント演出を実行できない問題もあった。
【０００９】
本発明はかかる点に鑑みてなされたものであり、音波信号をコンテンツ実行の際の同期信号として用いたコンテンツ同期システム、コンテンツ同期システムをイベント演出用に用いたイベント演出システム、同期装置、ならびに記録媒体を提供することを目的とする。
【課題を解決するための手段】
【００１０】
本発明におけるコンテンツ同期システムは、ユーザ端末に配信されたコンテンツを実行させる際の同期信号として音波信号を用いたことを特徴とする。
【００１１】
本発明によれば、ネットワーク接続ができない環境下にあっても、ユーザ端末により適切に音波信号による同期信号を受信でき、安定してコンテンツを実行させることができる。また、コンテンツの実行環境空間が広く、あるいは障害物などがあっても安定して音波信号による同期信号をユーザ端末まで送信でき、コンサートなどでコンテンツの実行タイミングを音に合わせて観客全員で一致させることができ、観客間で一体感を演出することができる。また雑音のある環境下でも音波信号による同期信号の周波数特性を適正化するなどすれば、雑音に影響されずに、適切に同期信号をユーザ端末に送ることができる。
【００１２】
ここで「同期」とは、コンテンツの実行を所定のタイミングで行うことを意味し、特に他のユーザ端末や音楽などに合わせてコンテンツを実行させることを指す。
【００１３】
本発明では、前記同期信号は、Ｎ個（Ｎは２以上）のパルスを一定間隔で送信するものであることが好ましい。このように本発明によれば、単純な同期信号を送ることができる。
【００１４】
また本発明では、前記同期信号を受信した前記ユーザ端末では、前記パルスを前記パルスの時間幅よりも短い時間幅にて細分化してゲインの時間変化を評価することが好ましい。これにより同期信号の受信を安定して判断できる。
【００１５】
また本発明では、前記同期信号の後に、前記コンテンツの実行制御に関する任意長のデータ信号が送信可能とされることが好ましい。本発明では、データ信号と同期信号とを区別することができ、データ信号により例えば、コンテンツの実行タイミングなどを制御することができる。
【００１６】
また本発明では、前記同期信号の送信を事前に通知するための通知信号を送信することが好ましい。このとき、前記通知信号は無線信号であることが好ましい。
【００１７】
また本発明では、前記同期信号には、メイン信号とバックアップ信号とがあり、前記バックアップ信号は前記メイン信号と異なる周波数帯で送信時間をずらしたものであり、前記ユーザ端末にて、前記メイン信号を受け取れず前記バックアップ信号を受信した場合、前記メイン信号との時間差分を補正して同期を行うことが好ましい。これにより、より確実に同期信号を受け取ることができる。
【００１８】
また本発明では、前記ユーザ端末と、前記音波信号からなる前記同期信号を前記ユーザ端末に送信可能な同期装置と、を有し、前記同期装置のスピーカから発信された前記同期信号が前記ユーザ端末で受信されたときに、前記コンテンツが実行される構成にできる。本発明によれば、自宅などで事前に、コンテンツをダウンロードしておき、その後、ユーザ端末がコンテンツの実行環境下に置かれても、ユーザ端末が同期装置から同期信号を受信したときに、適切にすでにダウンロードしたコンテンツを実行させることができる。
【００１９】
上記において、例えば、前記同期装置は、前記コンテンツの実行環境空間に設置されており、前記コンテンツは、複数の前記ユーザ端末に対して前記実行環境空間で同期するように制御される。
【００２０】
あるいは本発明では、前記ユーザ端末と、前記音波信号からなる前記同期信号が記録された記録媒体と、を有し、前記同期信号が前記記録媒体から送信されて前記同期信号が前記ユーザ端末で受信されたときに、前記コンテンツが実行される構成にできる。例えばコンサート会場などの音場空間に居なくても、そのコンサートを録画した記録媒体を自宅などで再生した際、記録媒体に記録された音波信号による同期信号をユーザ端末が受信することでコンテンツを作動させることができ、あたかもコンサートにいる臨場感を自宅などに居ながら味わうことができる。
【００２１】
また本発明では、例えば、前記ユーザ端末からサーバ装置にアクセスして前記コンテンツをダウンロードした後、前記コンテンツの実行環境下で、前記ユーザ端末が前記同期信号を受信した際、前記コンテンツを実行することができる。ここでいう「コンテンツの実行環境下」とは、例えばコンサート会場内に入って音波信号による同期信号を受け取ることができる環境下という意味である。
【００２２】
上記のサーバ装置には、例えば、コンテンツ及びコンテンツの実行環境情報が登録されている。これによりユーザ端末からサーバ装置にアクセスした際に、例えば自分がどのコンサートに行くかを選択すれば、コンテンツをダウンロードしたときに、そのコンサート使用のコンテンツを適切にダウンロードすることができる。
【００２３】
また本発明では、座席情報を特定して、前記座席情報に基づく前記コンテンツを実行することが好ましい。座席情報により実行するコンテンツを変えることができる。例えばアリーナ席とスタンド席とで実行するコンテンツを変えることができる。
【００２４】
また本発明では、前記同期信号は、可聴範囲を超えた超音波信号であることが好ましい。ただし、前記同期信号に、可聴範囲の音波信号を使用することも可能である。本発明では、前記同期信号を、前記音波信号とは別の外部音に埋め込む構成にできる。
【００２５】
また本発明では、例えば、前記コンテンツは、前記ユーザ端末の表示画面に対する色情報である。これによりユーザ端末の表示画面を所定の色に光らせたり、あるいはグラデーションをつけることができる。またコンサート会場の座席に応じて、表示画面の色を変えることができる。
【００２６】
あるいは、本発明では、例えば、前記コンテンツは、前記ユーザ端末から発せられる音情報である。例えばユーザ端末から楽器の音が鳴るようにすることができる。また本発明では、複数の前記ユーザ端末間では同じ前記コンテンツが同期する構成にできる。
【００２７】
また本発明では、複数の前記ユーザ端末が複数にグループ化され、同じグループ内では同じ前記コンテンツが同期し、各グループ間では前記コンテンツが異なっている構成にすることもできる。
【００２８】
上記において、前記ユーザ端末のグループ化は、前記ユーザ端末の座席情報に基づいて制御できる。上記したように、例えばアリーナ席とスタンド席とで実行されるコンテンツを変えることができる。
【００２９】
また本発明では、前記コンテンツを、会場内に流れる音情報と同期するように制御することができる。すなわちコンサートなどで曲のイントロとサビとで、それぞれ異なるコンテンツに同期するように制御することができる。
【００３０】
また本発明におけるイベント演出システムは、上記に記載されたコンテンツ同期システムを用いて、イベント内にて前記コンテンツを実行することを特徴とする。コンサート、スポーツ競技、演芸場などでのイベント演出に本発明のコンテンツ同期システムを用いることができ、ネットワーク接続ができないような環境下で特に安定して且つスピーディな同期信号の受信が可能になり好適である。
【００３１】
また本発明における同期装置は、ユーザ端末に配信されたコンテンツを実行させる際の同期信号として音波信号を前記ユーザ端末に送信することを特徴とする。また本発明における記録媒体は、ユーザ端末に配信されたコンテンツを実行させるための音波信号からなる同期信号が記録されていることを特徴とする。
【発明の効果】
【００３２】
本発明のコンテンツ同期システムによれば、ネットワーク接続ができない環境下にあっても、ユーザ端末により適切に音波信号による同期信号を受信でき、安定してコンテンツを実行させることができる。また、コンテンツの実行環境空間が広く、あるいは障害物などがあっても安定して音波信号による同期信号をユーザ端末まで送信でき、コンサートなどでコンテンツの実行タイミングを音に合わせて観客全員で一致させることができ、観客間で一体感を演出することができる。また雑音のある環境下でも音波信号による同期信号の周波数特性を適正化するなどすれば、雑音に影響されずに、適切に同期信号をユーザ端末に送ることができる。
【図面の簡単な説明】
【００３３】
【図１】本発明の実施の形態に係るコンテンツ同期システムを説明するための模式図（ブロック図）である。
【図２】本発明の実施の形態に係るコンテンツ同期システムを説明するための模式図（ブロック図）である。
【図３】本発明の実施の形態に係るコンテンツ同期システムのフローチャート図である。
【図４】本実施の形態に係る同期信号のタイミングチャートである。
【図５】本実施の形態に係るデータ信号のタイミングチャートである。
【図６】本実施の形態に係るコンテンツの実行タイミングチャートである。
【図７】本実施の形態に係るブルートゥース（登録商標）信号（通知信号）のある場合とない場合とにおける同期信号及びコンテンツの実行タイミングチャートである。
【図８】ブルートゥース（登録商標）信号（通知信号）のある場合であって、同期信号を検知できなかった場合における、コンテンツの実行タイミングチャートである。
【図９】本実施の形態に係るイベント演出の一例を示す模式図である。
【図１０】本実施の形態に係るイベント演出の一例を示す模式図である。
【図１１】本実施の形態に係るイベント演出の一例を示す模式図である。
【図１２】本実施の形態に係るイベント演出の一例を示す模式図である。
【発明を実施するための形態】
【００３４】
以下、本発明の実施の形態について、添付図面を参照して詳細に説明する。図１及び図２は、本発明の実施の形態に係るコンテンツ同期システムを説明するための模式図（ブロック図）である。図１では、ユーザ端末２とサーバ装置３とが通信している状態を示し、図２では、同期信号Ｓが同期装置４からユーザ端末２に送信されている状態を示す。
【００３５】
図１に示すように、本実施の形態に係るコンテンツ同期システム１は、ユーザ端末２と、サーバ装置３と同期装置４とを有して構成される。ただしコンテンツ同期システム１としてサーバ装置３は必須構成でない。
【００３６】
ユーザ端末２は、携帯電話やタブレット型端末などの端末装置を含み、例えば、マイク機能を備えたものである。あるいはマイク機能に代えて、ピエゾ素子などを用いて音波信号による振動を電圧などに変換することもできる。すなわちユーザ端末２では音波信号を読み込むことができればマイクに限定されるものではない。また、ユーザ端末２は、その他の通話機能、電子メール機能、非接触カード機能などを備えていても良い。また図１に示すようにユーザ端末２には表示画面２ａが設けられていることが好ましい。表示画面２ａはユーザ端末２の表面の大部分を占めていることが好適である。ユーザ端末２には例えばスマートフォンを例示できる。
【００３７】
図１に示すようにサーバ装置３にはサーバ５と送受信部６が設けられる。サーバ５には、コンテンツやコンテンツの実行環境情報などが登録されている。ここで「コンテンツ」とは、色、音、画像、動画、メッセージ、解説などの演出内容、演出情報を指す。
【００３８】
サーバ装置３の送受信部６とユーザ端末２の送受信部（図示せず）との間でデータ通信を行うことができる。データ通信を、ＷｉＦｉ、３Ｇ、ＬＴＥなどにより行うことができる。また図１に示すように同期装置４には、同期信号管理部７、スピーカ８、クロック部９、送受信部１０及び制御部１１が設けられている。
【００３９】
同期信号管理部７は、ユーザ端末２に送信するための音波信号による同期信号を管理・保管し、送信指示により同期信号を、スピーカ８を介してユーザ端末２に送信する機能を備えている。送信指示は制御部１１が担っている。また、同期信号管理部７あるいは制御部１１では、同期信号とは別のデータ信号を有しており、音波信号であるデータ信号を、スピーカ８を介してユーザ端末２に送信可能とする。ここで「音波信号」は、空中を伝播する弾性波信号であり、可聴範囲の音声のみならず、可聴範囲を超えた超音波信号も含まれる。また「同期信号」とは、コンテンツの実行を所定のタイミングで行うためのタイミング信号であり、特に他のユーザ端末や音楽などに合わせてコンテンツを実行させるための信号を指す。
【００４０】
本実施形態では、スピーカ８からユーザ端末のマイクに、音波信号による同期信号を送信することができる。
【００４１】
また制御部１１では、音波信号による同期信号をユーザ端末２が受け取れなかった場合に、クロック部９による時間に基づきユーザ端末２を時間制御して所望のコンテンツをスタートさせるために時刻誤差を補正することができる。
【００４２】
同期装置４の送受信部１０では、ユーザ端末２の情報（時刻情報、位置情報）を受けることができ、またユーザ端末２に対して時刻誤差の補正信号などを送ることができる。なおクロック部９及び送受信部１０は必須要素でない。
【００４３】
図３は、本発明の実施の形態に係るコンテンツ同期システムのフローチャート図であり、ひいては本実施の形態のコンテンツ同期システムを用いたイベント演出システムについて説明する。
【００４４】
ユーザ端末２の所有者は、コンサートに行く前に、コンサートで用いるコンテンツをダウンロードするためのアプリケーションを起動させる（ステップＳＴ１）。アプリケーションの起動場所を特に限定するものではないが、インターネットのようなネットワークを介してユーザ端末２とサーバ装置３とを接続できる環境下とされる。
【００４５】
イベント会場によっては、イベント会場内でネットワークを使用できないこともあるので、かかる場合は、イベント会場外でサーバ装置３に接続する必要がある。また自宅などでインターネット回線を用いてアプリケーションを起動させることも可能である。
【００４６】
ユーザ端末２の所有者は、アプリケーションの指示にしたがって、例えば、コンサートの日付やコンサート名、コンサートの場所などを入力してイベントを特定する（ステップＳＴ２）。すなわち所有者がこれから行くコンサートを特定するモードであるが、どのようにして特定するかを特に限定するものではない。例えば屋外のコンサート会場などでネットワークに接続できる環境下にあっては、サーバ装置３にネットワーク接続したとき、図１に示すようにＧＰＳ衛星１２により取得されたユーザ端末２の情報（位置情報、時刻情報）がサーバ装置３に送られて自動的にコンサート名を特定することができ、あるいはいくつかのコンサートに絞り込むことも可能である。
【００４７】
また情報の入力には、座席番号を含むことができる。すなわちコンサートの座席エリアによって、異なるコンテンツが作動するようなイベント演出がなされるとき、座席番号が重要な入力項目となる。なお、図３に示すイベント特定のステップＳＴ２では、ユーザ端末２の所有者による入力により所有者がイベントを特定していたが、そのほかに、チケットなどに付されたバーコードをユーザ端末２で読み取ることで、サーバ装置３側でイベントを特定したり、インターネットを通じてチケットを購入した際に取得された情報から自動的にサーバ装置３側でイベントを特定する構成などであってもよい。かかる場合、図３に示すイベント特定のステップＳＴ２は、サーバ装置３側に存在する。
【００４８】
上記の情報がサーバ装置３に送られると、その情報に基づいて所有者が行くコンサートを判別する（ステップＳＴ３）。このようにコンサートが特定されることで、そのコンサートで用いるコンテンツがサーバ５より特定される。
【００４９】
このようにしてコンテンツが特定されると、そのコンテンツをダウンロードする（ステップＳＴ４）。ダウンロードは所有者が手動で行ってもよいし、あるいは自動ダウンロードであってもよい。例えば、図１、図２に示すコンテンツ同期システム１において、サーバ装置３がない構成では、インターネットによるチケット購入時などに自動的にユーザ端末２にコンテンツが配信された構成とすることもできる。かかる場合では、コンサートに行く前にユーザ端末２の所有者は、アプリケーションの起動（ステップＳＴ１）を行う必要はない。ただし、チケット購入時などに自動的にイベントが特定されて（ステップＳＴ２）、コンテンツが配信された状態とされる。
【００５０】
ここでサーバ５に登録されたコンテンツについて説明すると、コンサートごとにコンテンツを作るのではなくプラットホーム化されていることが好適である。これにより多数のイベントに対して適切且つ迅速にコンテンツ形成を行うことができる。すなわちイベント情報（コンテンツ実行環境情報）、コンテンツ及び、イベントとコンテンツとの組み合わせ条件などがサーバ５に登録されていることで、多数のコンテンツ及びイベント情報をサーバ５に登録でき、これから行くイベントを選択し、コンテンツをダウンロードしたときに、そのイベント使用のコンテンツを迅速にダウンロードすることができ、またコンテンツの多様性を実現できる。
【００５１】
また、ユーザ端末２側では、コンテンツをダウンロードした際に、コンテンツを実行するトリガーとなる同期信号を知っている必要がある。したがって同期信号の情報（周波数やパルス形状など）もユーザ端末２に送られる。
【００５２】
上記のようにしてユーザ端末２の所有者は、コンサートが始まる前に予めコンテンツをダウンロードしておく。またダウンロードした際の情報には、コンサートでの曲順などの非公開情報が入っていてもよい。
【００５３】
コンサート会場には同期装置４が設置されている。同期装置４の制御部１１には、予めサーバ装置３からコンテンツやコンサート情報（曲順など）が入力されていてもよい。これにより、ユーザ端末２と同期装置４との間で、情報を共通化できる。同期装置４は、音波信号からなる同期信号を、スピーカ８を介してユーザ端末２に送信できる構成であれば特に限定されるものでない。同期装置４としては、例えばパーソナルコンピュータを例示できる。
【００５４】
同期装置４の同期信号管理部７には予め同期信号が保存されている。同期信号の周波数は、特定されていてもよいし、あるいは、周波数はスピーカ特性やコンテンツ実行環境（空間広さなど）などによって適切なものを使用することができる。なお音波信号による端末同期方法は、例えば、１２ｋＨｚ〜２０ｋＨｚに振幅変調によって特定のデータを送信して行う。
【００５５】
同期信号としては、例えば１９ｋＨｚ〜２０ｋＨｚ程度の可聴範囲を超えた超音波信号とすることもできるし、１２ｋＨｚ〜１７ｋＨｚ程度の可聴範囲の音声信号を使用することもできる。周波数が近い大きな外部音（楽器の音など）に同期信号を埋め込むことで、可聴範囲の同期信号であっても音声は聞こえない。
【００５６】
図３に示すように、コンサートが開始され（ステップＳＴ５）、曲が流れる直前、あるいは曲の開始から所定の時間後に、同期装置４から音波信号としての同期信号Ｓがユーザ端末２に送信される（ステップＳＴ６）。図２に示すように同期装置４のスピーカ８を通して音波信号としての同期信号Ｓがユーザ端末２のマイクに送られる。
【００５７】
図４は、本実施の形態に係る同期信号のタイミングチャートであり、図４の上段に、同期装置４に保持された同期信号の波形を示し、図４の下段に、ユーザ端末２で受け取った際の同期信号の波形を示した。なお図４の上段に示す波形と下段に示す波形との間に多少の時間的ずれがあってもよい。図５においても同様である。
【００５８】
図４の上段に示すように同期信号は、Ｎ個（Ｎは２以上）のパルスを一定間隔で単純に送信するものである。図４の上段には４つのパルスＰが図示されている。各パルスＰのパルス時間幅はＴ／２であり、各パルスＰの間にＴ／２の時間が空いている。したがって各パルスＰの間にはＴ／２の無音時間が形成されている。
【００５９】
図３のステップＳＴ６にて送信された同期信号は、メイン信号であり、特定周波数（例えば１８０８７Ｈｚ）の信号とされる。
【００６０】
図３のステップＳＴ７に示すように、ユーザ端末２では、同期信号（メイン信号）を受信できたか否か判断する。受信できていれば、コンテンツをスタートさせる（ステップＳＴ８）。
【００６１】
ここで、図４の下段は、ユーザ端末２で受け取った際の同期信号の波形であり、特定周波数（例えば１８０８７Ｈｚ）における信号のゲインを時間軸でプロットしたものである。
【００６２】
図４の下段に示すように、ユーザ端末２のマイクでは音波信号（同期信号）を、同期装置４からのパルスＰの時間幅（Ｔ／２）よりも短い時間幅にて細分化してゲインの時間変化を拾う。図４の下段に示す信号フォーマットを受信することで、一定間隔によるＮ個のパルスからなる同期信号を受信したと判断する。このとき信号の判定には信号のゲインの絶対値自体は用いず、直前の一定時間で信号のノルムを正規化した上でゲインの評価を行うことで音量に依存せず同期信号の受信が可能になる。これにより同期信号の受信を安定して判断できる。
【００６３】
図４の下段に示すように、ある特定の周波数の同期信号（音波信号）を、ユーザ端末２のマイクで拾う際に、パルスＰの時間幅（Ｔ／２）よりも短い時間幅で細分化してパルスＰの信号を受信することで、図４の下段に示すゲインの時間変化を獲得でき、同期信号を受信できたか否かを確実に且つ安定して判別することができる。
【００６４】
音波信号は空間状態の変化や障害に対しても安定してコンサート会場などに集まった多数の観客に伝搬されやすい。ただし同期信号（メイン信号）を受信できなかった場合でも、続いて本実施の形態では、同期信号のバックアップ信号を同期装置４より送信する（図３のステップＳＴ９参照）。
【００６５】
バックアップ信号は、メイン信号（１８０８７Ｈｚ）と異なる周波数で、且つメイン信号に対して時間のずれを有している。
【００６６】
例えば、周波数が１９２９３Ｈｚであって、メイン信号と１ｍｓｅｃの時間ずれを有するバックアップ信号、周波数が１８６０４Ｈｚであって、メイン信号と２ｍｓｅｃの時間ずれを有するバックアップ信号、周波数が１７０５４Ｈｚであって、メイン信号と３ｍｓｅｃの時間ずれを有するバックアップ信号、周波数が１６０２０Ｈｚであって、メイン信号と４ｍｓｅｃの時間ずれを有するバックアップ信号をそれぞれ送信する。
【００６７】
本実施の形態では、上記４つのバックアップ信号を例示したが、４つでなくてもよく、バックアップ信号の数及び周波数については、特に限定するものでない。バックアップ信号の周波数及び時間ずれについては、予め設定されて同期信号管理部７あるいは制御部１１内にて保存されている。
【００６８】
図３のステップＳＴ９に示すように同期信号（バックアップ信号）がユーザ端末２に送信されると、ユーザ端末２にて同期信号（バックアップ信号）を受信できたか否かを判断する（ステップＳＴ１０）。受信できていれば、コンテンツをスタートさせる（ステップＳＴ８）。このとき同期信号（バックアップ信号）の受信判断は図４に基づく。
【００６９】
例えば、上記した周波数が１９２９３Ｈｚであって、メイン信号と１ｍｓｅｃの時間ずれを有するバックアップ信号をユーザ端末２で受信できたと判断すれば、メイン信号との時間差分（１ｍｓｅｃ）を補正して同期を行う。
【００７０】
なお後述するデータ信号がある場合は、メイン信号を正しく受け取っている場合でもバックアップ信号を受信し、データ部分を受け取っておくことでメイン信号のデータとの比較を行い、ビットの多数決を行うことで正しいビット列に補正することが可能である。
【００７１】
データ信号について説明する。本実施の形態では、同期信号の後に任意長のデータ信号を含めることができる。現実的には８ビットほどのデータが送信可能である。
【００７２】
図５は、本実施の形態に係るデータ信号のタイミングチャートであり、図５の上段に、同期装置４からユーザ端末２に送信されるデータ信号の波形を示し、図５の下段に、ユーザ端末２で受け取った際のデータ信号の波形を示した。
【００７３】
図５の上段に示すように、パルスＰの出力タイミングを図４の上段に示す同期信号とは異ならせる。これにより図５の下段に示すように、ユーザ端末２側で受信した際の信号波形が図４の下段と異なり、例えばＴ時間の前半のゲインが強ければ１、後半のゲインが強ければ０というようにビット情報を埋め込む。例えば図５の下段では１００１のビット情報が生成される。
【００７４】
このビット情報（データ信号）は、曲が始まってから何秒後にコンテンツを作動させるタイミング情報などである。なお、図５のデータ信号の周波数は、先に送られた同期信号の周波数で生成されることが好ましい。
【００７５】
図６は、本実施の形態に係るコンテンツの実行タイミングチャートである。ユーザ端末２で音波信号による同期信号を受信したら図３に示すステップＳＴ８にて、コンテンツが実行される（スタートする）。コンテンツの種類については特に限定されるものでないが、図６のコンテンツ１及びコンテンツ２では、色情報のコンテンツ、コンテンツ３では音情報のコンテンツとされる。
【００７６】
図６のコンテンツ１に示す「Ｓ」は曲の始まりを示し、「Ｅ」は曲の終わりを示している。「１」「２」「３」は曲の順番を示している。コンテンツ１では、１曲目の際、ユーザ端末２の画面表示が赤く光り、２曲目の際、ユーザ端末２の画面表示が青く光り、３曲目の際、ユーザ端末２の画面表示が黄色く光るようなイベント演出が実行される。例えば従来のペンライトなどの場合は、単色であったり、複数色であっても色が限られていたが、本実施の形態によれば、曲に合わせて自由に発光色を変えることができる演出が可能になる。
【００７７】
本実施の形態によれば、コンサート会場に集まった観客のユーザ端末２が一斉に曲に合わせて同じ色に光ったり、あるいは後で詳述するように座席エリアによって光る色を変えるなどして会場が一体化したイベント演出を実行することが可能である。そして、このようなイベントに参加した観客を楽しく幸せな気持ちにさせることができる。
【００７８】
また図６に示すコンテンツ２では、例えば図５で説明したデータ信号に基づいて、曲が始まってから一定時間後（ｔ１）にコンテンツを同期させている。
【００７９】
図６のコンテンツ２では、曲の途中で色が変わるコンテンツが作動している。また図６のコンテンツ２で示すように、同期信号は曲の始まりの時点（０）だけでなく、間隔をおいて複数回、発信されるようにすることができる。例えば、コンサート会場に遅れてきたり、あるいは休憩で席を離れている場合、最初の同期信号を受け取れないと、その曲の間中、コンテンツの同期が不可能になるが、同期信号を何回も曲の途中に入れることで、曲の途中で戻ってきた観客のユーザ端末２に対して途中からコンテンツを他のユーザ端末２と同期させることができる。
【００８０】
また図６のコンテンツ２では、曲の途中で色が変わるコンテンツとなっているが、色の変わるタイミングについては図５に示すデータ信号で知らせることも可能である。コンテンツ２では、曲のイントロとサビの部分で光る色を変えたり光り方を変えたりすることができる。
【００８１】
また図６のコンテンツ３では、コンテンツが色情報でなく音情報であり、１曲面の際に、ユーザ端末２のスピーカからタンバリンの音が鳴り、２曲面の際に、ユーザ端末２のスピーカからギターの音が鳴り、３曲面の際に、ユーザ端末２のスピーカからカスタネットの音が鳴る演出が実行される。
【００８２】
上記した色や音のコンテンツは、曲の間中、ずっと作動するようなものでなく間欠的に作動するものであってもよい。
【００８３】
色や音以外には例えば画像によるコンテンツが作動するものであってもよい。例えば曲の間に比較的長い時間が空くような場合には、アーティストによるビデオレターが各ユーザ端末２にて再生されるようにしてもよい。この際、座席によって異なるビデオレターが再生されるようなイベント演出がなされてもよい。
【００８４】
上記したようにコンテンツ実行タイミングに対する同期方法として音波信号による同期信号を用いたが、ユーザ端末２の時刻情報から指定された時刻にコンテンツをスタートさせることでタイミングの同期を行う方法（ネットワーク同期）を補完的に用いることもできる。
【００８５】
例えば、図３のステップＳＴ１１に示すように同期装置４から時刻情報を取得してユーザ端末２との時刻誤差を補正したうえで、ネットワーク同期を作動させる（ステップＳＴ１２）。
【００８６】
なお音波信号による同期信号を用いた同期方法の場合、ミリ秒単位の精度で同期させることができる。一方、ネットワーク同期では秒単位の精度で同期させることができる。なおネットワーク同期ではネットワーク環境が必要とされるので、あくまで音波信号による同期信号を用いた同期方法の補完的な同期方法として位置づけられる。
【００８７】
本実施の形態のコンテンツ同期システムでは、音波信号による同期信号に対する通知信号をユーザ端末に事前に送信することもできる。ここで通知信号は無線信号であることが好適である。また無線信号は、ブルートゥース（登録商標）信号であることが好ましい。
【００８８】
ブルートゥース（登録商標）信号は、同期の動作確実性が高く、音波に比べて外乱の影響を受けにくい。その反面、同期時間の精度が悪く、ユーザ端末のミリ秒オーダーでの同期は難しい。そのため、ブルートゥース（登録商標）信号を音波信号に対する通信信号として使用し，正確なタイミングを図ることが可能な音波信号を同期信号として用いる。
【００８９】
図７は、本実施の形態に係るブルートゥース（登録商標）信号（通知信号）のある場合とない場合とにおける同期信号及びコンテンツの実行タイミングチャートである。なお図７に示すブルートゥース（登録商標）信号は、特に、ブルートゥース（登録商標）のアドバタイズメントチャネルを使用した信号であることが好適である。ブルートゥース（登録商標）での同期実現方法については後述する。
【００９０】
図７の左側図に示すようにブルートゥース（登録商標）信号（ＢＴ信号）がブルートゥース（登録商標）デバイス（ＢＴデバイス）からユーザ端末に送信され、ユーザ端末がブルートゥース（登録商標）信号を受信したとき、例えば受信から３００ｍｓｅｃの間は、ブルートゥース（登録商標）信号がない場合（図７の右側図）に比べて、シンプルな方法で同期信号の検知を行うことができる。
【００９１】
図７の左側図に示すように、ブルートゥース（登録商標）デバイスによる発信をユーザ端末で検知し、音波信号による同期信号が、現時刻から数百ミリ秒（図７では３００ｍｓｅｃ）以内に送られていることを事前に通知している。
【００９２】
図７の左側図のように、ブルートゥース（登録商標）信号の受信後、３００ｍｓｅｃ以内に音波信号による同期信号が送られてくるが、このときの同期信号は、１個のパルスによる音波信号であり、ユーザ端末で、この１個のパルスによる音波信号を受信する。このとき、ユーザ端末では、図４の下段に示したと同様にパルスを前記パルスの時間幅よりも短い時間幅にて細分化してゲインの時間変化を評価する。ユーザ端末では１個のパルスを受信するだけであるので、シンプルな方法で音波信号である同期信号の検知を行うことができ、高い確率で同期できるようになる。図７の左側図にあるように、ゲインの時間変化を評価し、ユーザ端末で音波信号による同期信号を検知したら、３００ｍｓｅｃの時間経過前であっても、同期信号の検知後、即座にコンテンツの実行を行う。
【００９３】
なお図７の右側図では、ブルートゥース（登録商標）信号がなく、図４で説明したのと同様に、複数のパルスを一定間隔にて送信している。そして、音波信号である同期信号の受信後、コンテンツを実行している。
【００９４】
図８は、ブルートゥース（登録商標）信号（通知信号）のある場合であって、同期信号を検知できなかった場合における、コンテンツの実行タイミングチャートである。
【００９５】
図８に示すように、ブルートゥース（登録商標）信号（ＢＴ信号）がブルートゥース（登録商標）デバイス（ＢＴデバイス）から送信されユーザ端末でブルートゥース（登録商標）信号を受信すると、受信後、３００ｍｓｅｃ以内に音波信号による同期信号が送られていることを事前に知ることができる。このとき、ユーザ端末で音波信号である同期信号を３００ｍｓｅｃ内で正確に受信できなかった場合、図８に示すように、過去３００ｍｓｅｃ内のパルス検出周波数の変化をチェックする。このとき図７の左側図や図４の下段にあるのと同様に、仮にパルスを正確に検知した場合、最初、急激なゲインの時間変化が生じるため、図８に示すように、過去３００ｍｓｅｃ内でのゲインの時間変化を評価した結果、最も変化が大きかった部分を音波信号の受信時刻とみなす。
【００９６】
今、音波信号の受信時刻とみなした検知タイミングは、ブルートゥース（登録商標）信号（ＢＴ信号）を受信してすでに３００ｍｓｅｃ経った時点であるため、音波信号の受信時刻とみなした時点からＴｍｓｅｃ過ぎており、したがって図７の左側図と比較すると図８では、コンテンツがＴｍｓｅｃずらして実行されることになる。
【００９７】
なお、３００ｍｓｅｃという時間は、ユーザ端末（スマートフォン端末など）のブルートゥース（登録商標）信号（ＢＴ信号）のスキャン間隔のばらつきに基づいて定めたものであるが、特に限定されるものではない。
【００９８】
ブルートゥース（登録商標）での同期実現方法として、Bluetooth（登録商標）LEを使用する場合、Bluetooth（登録商標）LEのアドバタイズメントチャネルを利用する。ユーザ端末は常にBluetooth（登録商標）のスキャンを繰り返し、ユーザ端末にあらかじめ保持してある同期信号送信ＢＴデバイスのＵＵＩＤと、検出されたデバイスのＵＵＩＤが一致する場合、ブルートゥース（登録商標）信号を受信したとみなす。信号のＩＤ（どのコンテンツを再生するべきかなどの一意なＩＤ）はアドバタイジングパケットに含まれるサービスのＵＵＩＤによって区別を行う。
【００９９】
また、クラッシックBluetooth（登録商標）を使用する場合、BT信号送信デバイスとしてクラシックBluetooth（登録商標）を使用する場合も同様に端末は信号のスキャンをおこない、ユーザ端末に保持されているＵＵＩＤとの比較を行って同期を実現する。ただしクラッシックBluetooth（登録商標）の場合アドバタイジングパケットがないため，信号ＩＤの識別は単純にデバイスのＵＵＩＤの識別によって行う。そのためクラッシックBluetooth（登録商標）の場合は複数個のＢＴデバイスのＵＵＩＤを保持しておく必要がある。
【０１００】
本実施の形態に係るイベント演出の一例を図９〜図１２に示す模式図を用いて説明する。図９では、同期装置４のスピーカ８から発せられた音波信号による同期信号Ｓをマイクにて受信した全てのユーザ端末２Ａ〜２Ｄの表示画面２ａが一斉に例えば赤色に光り、その後、音声による同期信号Ｓを受信した全てのユーザ端末２Ａ〜２Ｄの表示画面２ａが一斉に例えば黄色に光り、このように音（音波信号）により全てのユーザ端末２が同期して一斉に所定の色で光出すイベント演出を行うことができる。本実施形態によれば、音波信号による同期信号の受信により光るタイミングをコンサートの曲に合わせて変えることが可能であり、全てのユーザ端末２が同じタイミングで光るように安定して同期させることが可能である。
【０１０１】
図１０では、座席ごとにユーザ端末２にて光る色を変えるイベント演出を実行している。図３のステップＳＴ２では、ユーザ端末２の所有者は座席番号を入力する。例えば図１０に示すように座席エリア２０〜２３が４エリアに分かれており、座席番号によりどの座席エリア２０〜２３に該当するか判別される。座席エリア２０に該当する全てのユーザ端末２に対して音波信号による同期信号Ｓを受信したときに赤色に光るコンテンツがダウンロードされており、座席エリア２１に該当する全てのユーザ端末２に対して音波信号による同期信号Ｓを受信したときに青色に光るコンテンツがダウンロードされており、座席エリア２２に該当する全てのユーザ端末２に対して音波信号による同期信号Ｓを受信したときに緑色に光るコンテンツがダウンロードされており、座席エリア２３に該当する全てのユーザ端末２に対して音波信号による同期信号Ｓを受信したときに黄色に光るコンテンツがダウンロードされている。そして、音波信号による同期信号を同期装置４のスピーカ８から送信してマイクで受信した座席エリア２０の全てのユーザ端末２の表示画面２ａは赤色に光り、座席エリア２１の全てのユーザ端末２の表示画面２ａは青色に光り、座席エリア２２の全てのユーザ端末２の表示画面２ａは緑色に光り、座席エリア２３の全てのユーザ端末２の表示画面２ａは黄色に光る。
【０１０２】
このように座席番号の入力により座席ごとに光る色が変わるイベント演出を実行することができる。
【０１０３】
例えばスポーツ観戦で、座席エリアに応じて光る色を変えることで、まるでスタンドに大きな国旗が掲げられたような演出を行うこともできる。また座席エリアを区分けし、各座席エリアで光る色を変えることで、スタンドに文字や絵を浮かび上がらせることもできる。
【０１０４】
図１１では、音波信号による同期信号を受信したユーザ端末２では、例えばユーザ端末２を左右に振ると色がグラデーションで変わるようになっている。例えばユーザ端末２内に傾きセンサを装備しておき、傾きセンサの信号に基づいて、傾き角度を計測し、その傾き角度に応じて色を変化させることができる。コンサート会場の観客がユーザ端末２の傾き方向を合わせながら一斉にユーザ端末２を振ることで観客席の色が連続的に変化するイベント演出を実行することができる。
【０１０５】
また色ではなく、ユーザ端末２を音波信号による同期信号により同期させて一斉にユーザ端末２から音を出すこともできる。かかる場合、座席に応じて別々の音が出せるようにすることもできる。
【０１０６】
また、ユーザ端末２に個別にメッセージを流すこともできる。例えば、コンサートの曲と曲の合間に、その日、誕生日の観客のユーザ端末２にだけお祝いメッセージを流すこともできる。ユーザ端末２にはお祝いメッセージが流れるコンテンツがダウンロードされており、音波信号による同期信号を受信したときにお祝いメッセージが流れる。あるいは、所定の座席の観客だけにメッセージが流れるようなコンテンツであってもよい。例えばアリーナ席の観客だけにメッセージが流れるとか、ランダムに指定された座席の観客だけにメッセージを流すこともできる。
【０１０７】
また例えば、図１２に示すように、コンサートの模様が録画されたライブＤＶＤを再生しながら、その視聴者のユーザ端末２の表示画面の色を、テレビ３０の画面内に映るコンサートの中の観客のユーザ端末２と同じように変化させることも可能である。
【０１０８】
かかる場合でも事前に、コンテンツが配信された状態であることが必要である（図３のステップＳＴ４）。ライブＤＶＤ（記録媒体）には、そのコンサート中に送信された音波信号による同期信号も含まれている。
【０１０９】
このため、ライブＤＶＤを再生すると、音波信号による同期信号もテレビ３０のスピーカから発信され、コンテンツがダウンロードされている視聴者のユーザ端末２がその同期信号を受信すると、それに同期して、コンサート中の観客と同様の、表示画面の色が光るとか、音やメッセージが流れるなどのコンテンツが作動する。
【０１１０】
あるいは、コンサートの模様が中継されたテレビ放送を見ながら、その視聴者のユーザ端末２を、コンサート内の観客のユーザ端末と同期させることができる。かかる場合でも事前に、コンテンツが配信された状態であることが必要である（図３のステップＳＴ４）。テレビ放送には、そのコンサート中に送信される音波信号による同期信号も含まれている。かかる場合、テレビの少なくともスピーカ及びアンプの同期信号の送信部分が同期装置に該当する。あるいは、同期信号を送信可能な放送網がコンテンツ同期システムに該当する。
【０１１１】
このため、コンサート中継の視聴中、音波信号による同期信号もテレビのスピーカから発信され、コンテンツがダウンロードされている視聴者のユーザ端末２がその同期信号を受信すると、それに同期して、コンサート中の観客と同様の、表示画面の色が光るとか、音やメッセージが流れるなどのコンテンツが作動する。
【０１１２】
あるいは、パブリックビューイングされた別の会場でも同じように楽しめることができる。かかる場合でも事前に、コンテンツが配信された状態であることが必要である（図３のステップＳＴ４）。別の会場に設置された大型の映像装置には、そのコンサート中に送信される音波信号による同期信号も含まれている。映像装置のうち、少なくともスピーカ及びアンプを含む同期信号の送信部分が本実施の形態の同期装置に該当する。あるいは映像装置のスピーカから同期信号を送信する電波網がコンテンツ同期システムに該当する。
【０１１３】
このため、パブリックビューイングされた別の会場でも、音波信号による同期信号が大型の映像装置のスピーカから発信され、コンテンツがダウンロードされている観客のユーザ端末２がその同期信号を受信すると、それに同期して、本会場の観客と同様の、表示画面の色が光るとか、音やメッセージが流れるなどのコンテンツが作動する。
【０１１４】
このように、コンサート会場に直接行かなくても、コンサート内でのイベント演出を家に居ながらにして、あるいは別の会場で楽しめることができる。
【０１１５】
また本実施の形態では、コンサートにおけるイベント演出としてユーザ端末２にメッセージを流すことができるが、そのメッセージにはライブＤＶＤのお知らせや、そのアーティストのアルバムの発売日などを知らせることもできる。また、ユーザ端末２に特定の動画メッセージ（ＣＭなど）を流すこともできる。
【０１１６】
上記では、主にコンサートでのイベント演出について説明したが、本実施の形態では、コンサートに限定されるものではない。例えば、能、歌舞伎、オペラ、演劇など、音響施設のあるエンターテイメント施設にて、手元の端末画面で舞台に連動し、文字による解説が行われるようにできる。かかる場合でも、事前に、コンテンツが配信された状態であることが必要である（図３のステップＳＴ４）。エンターテイメント施設内には、同期装置４が設置されており、舞台に合わせて音波信号による同期信号が流される。音波信号は可聴範囲の音声信号でもよいが、その場合には大きな音に埋め込むなどして、音声信号を聞こえないようにすることが好ましい。また音波信号には可聴範囲を超えた超音波信号を用いることもできる。
【０１１７】
舞台が始まり、音波信号による同期信号が送信されると、その同期信号を受信したユーザ端末２では、それをトリガーとして、文字による解説などのコンテンツが作動するようになっている。
【０１１８】
また美術館や博物館などで、作品の横などにスピーカを設置し、作品別に個別の音波信号による同期信号を出し、その同期信号を受信したユーザ端末２からは、その作品の解説文などの表示が可能とされる。美術館や博物館といった静かな環境下では、音波信号は可聴範囲を超えた超音波信号であることが好適である。かかる場合でも、事前に、コンテンツが配信された状態であることが必要である（図３のステップＳＴ４）。作品の横などのスピーカから流れる音波信号による同期信号は予め録音されたものである。来場者が作品に近づき、その作品に対する音波信号による同期信号を受信すると、ユーザ端末２からは、その作品の解説文などの表示がされる。音波信号による同期信号の後に、例えば作品名を特定するデータ信号を送信することができ、これにより作品に応じた説明文をユーザ端末２に表示させることができる。
【０１１９】
また映画の上映中に、所定の場面で音波信号による同期信号を出し、その同期信号を受信したユーザ端末２では、表示画面が光ったりするなどのコンテンツを作動させることができる。かかる場合でも、事前に、コンテンツがダウンロードされた状態であることが必要である（図３のステップＳＴ４）。音波信号による同期信号は予め映画の中に録音されたものである。映画を見ている来場者が、映画の所定場面で音波信号による同期信号を受信すると、ユーザ端末２の表示画面が所定の色に光るなどのコンテンツが作動する。なお座席に応じて異なったコンテンツを作動させることができる。
【０１２０】
またすでに説明したように、サッカーや野球などのスポーツ観戦で、開会式やハーフタイムなどでスピーカから音波信号による同期信号を出すことで、スタンドに大きな国旗を表示するなどのイベント演出が可能とされる。
【０１２１】
本実施形態では、図１、図２に示したように、サーバ装置３と同期装置４とを別々のものとしたが、サーバ装置３と同期装置４とを一体化することもできる。例えばオープンスペースなどネットワーク接続が可能な環境下では、事前にコンテンツをダウンロードせず、会場に来場した際に、コンテンツのダウンロードを行うこともできる。ただし、観客が一斉にコンテンツのダウンロードを実行すると、ネットワークに接続できない端末も発生する可能性があるため、図１、図２に示すように、サーバ装置３と同期装置４とを分けて、ユーザ端末２の所有者は事前にコンテンツをダウンロードしておくことが好適である。
【０１２２】
また、同期装置４から音波信号による同期信号を発信する方法としては、例えば同期装置４の操作者がいて、その操作者がコンサート会場やスポーツ会場などでタイミングを見計らって、音波信号による同期信号を送信することができる。あるいは、そのエンターテイメントが所定のプログラムに沿って進行するような場合、同期装置４側でそのプログラムを事前に把握しておくことで、プログラムに応じた音波信号による同期信号を自動で発信することもできる。
【０１２３】
また本実施の形態では、図１、図２に示すサーバ装置３あるいは同期装置４、さらには音波信号による同期信号が記録された記録媒体をそれぞれ個別に、製造・販売することもできる。特に同期装置４及び記録媒体においては、同期信号として音波信号を用いた点に特徴的部分がある。その他、本発明の範囲を逸脱しないで適宜変更して実施することが可能である。
【産業上の利用可能性】
【０１２４】
本発明は、コンサートや、能、歌舞伎、オペラ、演劇などのエンターテイメント施設、美術館や博物館、またスポーツ観戦などで、観客や来場者のユーザ端末に所定のコンテンツを作動させる際に適用することができる。
【符号の説明】
【０１２５】
１  コンテンツ同期システム
２  ユーザ端末
３  サーバ装置
４  同期装置
５  サーバ
６、１０  送受信部
７  同期信号管理部
８  スピーカ
９  クロック部
１１  制御部
２０〜２３  座席エリア
３０  テレビ
【図１】
2015073182.tif 000003
【図２】
2015073182.tif 000004
【図３】
2015073182.tif 000005
【図４】
2015073182.tif 000006
【図５】
2015073182.tif 000007
【図６】
2015073182.tif 000008
【図７】
2015073182.tif 000009
【図８】
2015073182.tif 000010
【図９】
2015073182.tif 000011
【図１０】
2015073182.tif 000012
【図１２】
2015073182.tif 000013
【図１１】
2015073182.tif 000014